(57)【特許請求の範囲】
【請求項１】
画像処理の機能に関するユーザ設定項目を複数の外部画像処理装置に複製することが可能な画像処理装置であって、
前記複数の外部画像処理装置のそれぞれに複製すべき前記ユーザ設定項目を、ユーザ操作に基づき前記複数の外部画像処理装置のそれぞれについて個別に行われた設定に基づいて選択する選択手段と、
前記選択手段により選択された、複製すべき前記ユーザ設定項目を、前記複数の外部画像処理装置のそれぞれの属性情報と対応付けて保持する保持手段と、
前記複数の外部画像処理装置のうち、前記ユーザ設定項目を複製する外部画像処理装置である対象画像処理装置と通信するための通信手段と、
前記通信手段を用いて前記対象画像処理装置の属性情報を取得する属性情報取得手段と、
前記属性情報取得手段によって取得した前記属性情報と、前記保持手段に保持された属性情報とに基づいて、前記対象画像処理装置に複製すべき前記ユーザ設定項目を決定する決定手段と、
を備え、
前記通信手段は、前記決定手段によって決定された、前記対象画像処理装置に複製すべき前記ユーザ設定項目を前記対象画像処理装置に送信する
ことを特徴とする画像処理装置。
【請求項２】
さらに、前記対象画像処理装置に複製すべき前記ユーザ設定項目を前記対象画像処理装置へ複製する指示を入力するための操作手段を備え、
前記通信手段は、前記操作手段によって入力された前記複製の指示に応じて、前記対象画像処理装置との通信を開始し、
前記属性情報取得手段は、前記通信手段を介して、前記対象画像処理装置に対して前記属性情報を要求する
ことを特徴とする請求項１に記載の画像処理装置。
【請求項３】
前記通信手段は、前記対象画像処理装置から、当該対象画像処理装置に複製すべき前記ユーザ設定項目を前記対象画像処理装置へ複製する指示の要求を受信すると、前記対象画像処理装置に対して前記属性情報の送信を要求し、
前記属性情報取得手段は、前記属性情報の送信の要求に応じて前記対象画像処理装置から送信された前記属性情報を取得する、
ことを特徴とする請求項１に記載の画像処理装置。
【請求項４】
前記対象画像処理装置は複数台存在し、
前記属性情報取得手段は、前記通信手段を用いて前記複数の対象画像処理装置のそれぞれから前記属性情報を取得し、
前記決定手段は、前記複数の対象画像処理装置それぞれから取得した複数の前記属性情報と、前記保持手段に保持された属性情報とに基づいて、複製すべき前記ユーザ設定項目を前記複数の対象画像処理装置のそれぞれについて決定し、
前記通信手段は、前記決定手段によって決定された、前記複数の対象画像処理装置のそれぞれに複製すべき前記ユーザ設定項目を、対応する前記対象画像処理装置に送信する、
ことを特徴とする請求項１乃至３のいずれか１項に記載の画像処理装置。
【請求項５】
さらに、前記通信手段による、前記複製すべき前記ユーザ設定項目の前記複数の対象画像処理装置への送信が成功したか否かを判断する判断手段と、
前記判断手段の判断結果が不成功を示す場合に、前記複製すべき前記ユーザ設定項目の前記複数の対象画像処理装置への送信を再度実行するように前記通信手段を制御する制御手段と、
を備える
ことを特徴とする請求項４に記載の画像処理装置。
【請求項６】
前記属性情報は、機種情報を含み、
前記決定手段は、前記対象画像処理装置から取得した前記属性情報に含まれる機種情報により、前記対象画像処理装置の機種が自装置と同じか否か判定し、当該判定結果によって、複製すべき前記ユーザ設定項目のうちの送信すべき前記ユーザ設定項目を決定する、
ことを特徴とする請求項１乃至５の何れか１項に記載の画像処理装置。
【請求項７】
前記通信手段は、無線で前記対象画像処理装置と通信する、
ことを特徴とする請求項１乃至６の何れか１項に記載の画像処理装置。
【請求項８】
画像処理の機能に関するユーザ設定項目を複数の外部画像処理装置に複製することが可能な画像処理装置の制御方法であって、
前記複数の外部画像処理装置のそれぞれに複製すべき前記ユーザ設定項目を、ユーザ操作に基づき前記複数の外部画像処理装置のそれぞれについて個別に行われた設定に基づいて選択する選択工程と、
前記選択工程で選択された、複製すべき前記ユーザ設定項目を、前記複数の外部画像処理装置のそれぞれの属性情報と対応付けて保持する保持工程と、
前記複数の外部画像処理装置のうち、前記ユーザ設定項目を複製する外部画像処理装置である対象画像処理装置と所定の通信手段を用いて通信を確立する通信確立工程と、
前記通信手段を用いて前記対象画像処理装置の属性情報を取得する属性情報取得工程と、
前記属性情報取得工程で取得した前記属性情報と、前記保持工程で保持された属性情報とに基づいて、前記対象画像処理装置に複製すべき前記ユーザ設定項目を決定する決定工程と、
前記決定工程で決定された前記対象画像処理装置に複製すべき前記ユーザ設定項目を前記対象画像処理装置に前記通信手段を用いて送信する設定項目送信工程と、
を備える
ことを特徴とする画像処理装置の制御方法。
【発明の詳細な説明】
【技術分野】
【０００１】
本発明は、画像処理装置に関し、特に、画像処理装置相互間で、ユーザーが設定可能な設定項目を複製する処理に関する。
【背景技術】
【０００２】
デジタルスチルカメラ（以下、単に「カメラ」ともいう）は銀塩カメラに比べてカメラの機能が増えている。また、近年のデジタルスチルカメラはさらに新規機能が増える傾向にある。そのため、その機能を使用するために設定しなければならない設定項目も増加する傾向にある。
【０００３】
例えば、ニュースを扱っている報道関係の会社などで複数台の同機種のデジタルスチルカメラを所有し、カメラマンが共有して使用する場合、使用するカメラマンがいつも同じカメラを自分専用で使用できるとは限らない。従来デジタルスチルカメラの各種設定はカメラの操作部材を操作しパラメータを変更するか、パーソナルコンピュータとカメラを接続し、パーソナルコンピュータからカメラの設定を変更する方法が主流であった。そして、同じ設定値のカメラを複数台複製する場合や、パーソナルコンピュータが無い現場で複製したい場合はいちいち操作部を操作しながらパラメータを変更する必要がある。
【０００４】
その後、この不都合を改善するために、リムーバブル可能な記録媒体に前記設定項目のデータを保存し、前記記録媒体を経由してユーザーの設定可能な項目を別のカメラに複製する機能を有したデジタルスチルカメラも考案されている。これによれば、常に自分の使用しているカメラの機能設定と同一のカメラを容易に複製することができる。
【０００５】
また、上記パラメータの複製のための記録媒体が撮影画像の保存記録媒体と共通な場合、記録媒体を初期化して使用するときに保存してあった上記パラメータの複製のためのファイルまで消してしまう可能性がる。そこで前記記録媒体を初期化する場合、保存してある前記ファイルをカメラ本体に複製することで、記録媒体を初期化しても前記ファイルまで消さずに同じ記録媒体を撮影用の記録媒体として使用することができるという提案がされている。
【発明の開示】
【発明が解決しようとする課題】
【０００６】
しかしながら、この改善案であっても、記録媒体を介在させるため、設定可能なデータの複製を複数台行う場合は一台ずつ複製作業を行う必要がある。つまり、リムーバブルな記録媒体を介在させて、カメラ内部の設定を複製すると最初に複製元のカメラのユーザーが設定可能な設定項目を前記記録媒体に保存し、記録媒体をカメラ本体から抜き取り、その後複製先のカメラに前記記録媒体を入れて記録媒体内の情報をカメラ本体に反映させるという操作を必要とし、操作が煩雑になるのである。
【０００７】
また、複製元の設定項目データを前記記録媒体に保存する場合は複製元でのカメラ操作が必要であり、複製先カメラに複製する場合、複製操作は複製先カメラで操作する必要があり最低２台のカメラ操作を必要とする。
【０００８】
さらに、リムーバブル可能な記録媒体によるユーザー設定の設定項目の複製は一回に一台のカメラしか複製できない。複数台設定を同じにする場合はその回数分前記操作をする必要があり作業が煩わしい。また、複製操作は複製元のデータを操作する時は複製元のカメラで操作し、データを複製する時は複製先のカメラを操作しなくてはならず、複製先データの操作も複製元データの操作も同一のカメラで操作することができない。
【０００９】
本発明はこのような状況に鑑みてなされたものであり、ユーザーが設定可能な全ての項目をパーソナルコンピュータやリムーバブル可能な記録媒体を介在せずに、容易に別のカメラに複製することができる画像処理装置及びその制御方法を提供するものである。
【課題を解決するための手段】
【００１０】
上記課題を解決するために、本発明による画像通信装置は、画像処理の機能に関するユーザ設定項目を複数の外部画像処理装置に複製することが可能な画像処理装置であって、前記複数の外部画像処理装置のそれぞれに複製すべき前記ユーザ設定項目を、ユーザ操作に基づき前記複数の外部画像処理装置のそれぞれについて個別に行われた設定に基づいて選択する選択手段と、前記選択手段により選択された、複製すべき前記ユーザ設定項目を、前記複数の外部画像処理装置のそれぞれの属性情報と対応付けて保持する保持手段と、前記複数の外部画像処理装置のうち、前記ユーザ設定項目を複製する外部画像処理装置である対象画像処理装置と通信するための通信手段と、前記通信手段を用いて前記対象画像処理装置の属性情報を取得する属性情報取得手段と、前記属性情報取得手段によって取得した前記属性情報と、前記保持手段に保持された属性情報とに基づいて、前記対象画像処理装置に複製すべき前記ユーザ設定項目を決定する決定手段と、を備え、前記通信手段は、前記決定手段によって決定された前記対象画像処理装置に複製すべき前記ユーザ設定項目を前記対象画像処理装置に送信することを特徴とする。
【００１１】
また、本発明による画像通信装置の制御方法は、画像処理の機能に関するユーザ設定項目を複数の外部画像処理装置に複製することが可能な画像処理装置の制御方法であって、前記複数の外部画像処理装置のそれぞれに複製すべき前記ユーザ設定項目を、ユーザ操作に基づき前記複数の外部画像処理装置のそれぞれについて個別に行われた設定に基づいて選択する選択工程と、前記選択工程で選択された、複製すべき前記ユーザ設定項目を、前記複数の外部画像処理装置のそれぞれの属性情報と対応付けて保持する保持工程と、前記複数の外部画像処理装置のうち、前記ユーザ設定項目を複製する外部画像処理装置である対象画像処理装置と所定の通信手段を用いて通信を確立する通信確立工程と、前記通信手段を用いて前記対象画像処理装置の属性情報を取得する属性情報取得工程と、前記属性情報取得工程で取得した前記属性情報と、前記保持工程で保持された属性情報とに基づいて、前記対象画像処理装置に複製すべき前記ユーザ設定項目を決定する決定工程と、前記決定工程で決定された前記対象画像処理装置に複製すべき前記ユーザ設定項目を前記対象画像処理装置に前記通信手段を用いて送信する設定項目送信工程と、を備えることを特徴とする。
【００１２】
さらなる本発明の特徴は、以下本発明を実施するための最良の形態および添付図面によって明らかになるものである。
【発明の効果】
【００１３】
本発明の画像処理装置及びその制御方法によれば、ユーザーが設定可能な全ての項目をパーソナルコンピュータやリムーバブル可能な記録媒体を介在せずに、容易に別のカメラに複製することができるようになる。
【発明を実施するための最良の形態】
【００１４】
以下添付図面を参照して本発明に係る最良の実施形態について説明する。
【００１５】
＜画像処理装置の構成＞
図１は、本実施形態の画像処理装置１（デジタルスチルカメラ）のブロック図を示している。
【００１６】
図１において、１００は撮影に必要なＣＣＤやＣＭＯＳなどの撮像素子やレンズなどの光学部材および各種電子機器を含む撮像部であり、１０１は撮影した画像データを格納する前バッファであるバッファメモリである。１０２は前記格納された画像データを画像処理および圧縮処理を行う画像処理部であり、１０３は画像処理および圧縮処理後の画像データを格納する後バッファであるバッファメモリである。また、１０３は撮影操作、シャッタースピードや露出などを切り替える操作などデジタルスチルカメラ本体を操作する操作部であり、１０５は撮影画像の表示およびカメラ操作パラメータの設定や確認のためのメニュー表示や警告等の表示をするための表示装置である。１０６は前記表示装置を制御する表示制御部であり、１０７はデジタルスチルカメラ全体を制御するシステム制御部である。さらに、１０８はフラッシュなどのリムーバブルな外部記憶装置とのインタフェースであり、１０９はリムーバブルな外部記憶装置である。１１０はユーザーが操作部１０４を使用して設定可能なすべのパラメータを記憶するために制御する設定データ記憶制御部であり、１１１は有線あるいは無線通信可能な通信モジュールである。
【００１７】
図１に示されるデジタルスチルカメラ１においては、図２に示されるように、ユーザーが設定可能なカメラの設定項目は撮影に必要なシャッタースピード、撮影モード、測光モード、ドライブモード（単写、連写、セルフタイマーなど）、ＩＳＯ値、補正値などがあり、またカメラ全体の設定としては現像するためのカラーマトリクス、現像パラメータ（トーンカーブ、シャープネス、コントラストなど）、撮影画像の確認、撮影画像の確認時間、ノイズ低減機能、マニュアルホワイトバランスのデータ、ハイライト警告表示、ＡＦフレームの表示、ヒストグラムの表示種類、オートパワーオフの時間、画像のバックアップ機能、縦横自動回転表示、液晶モニタの明るさ、言語、ビデオの出力方式、２０種類のカスタムファンクション機能、３１種類のパーソナルファンクション機能などが設定可能となっている。
【００１８】
ユーザーが一台のカメラを占有して使用できるのであれば、一度これらの機能を設定してしまえば問題は無いが、別の同機種のカメラを使用することになった場合はひとつひとつ前記設定項目をユーザーの好みの設定もしくは仕事に適した設定に設定し直す必要がある。
【００１９】
＜一対一接続での複製について＞
図５（ａ）は、一対一の有線接続で設定項目の複製を実行する場合を示しており、例えばイーサーネット（登録商標）のようなＩＥＥＥ８０２．３などの規格の通信を使用し、有線接続による通信可能な通信モジュール１１１を通信手段として有するデジタルスチルカメラにおいて、ユーザーがあるカメラのユーザー設定項目のデータ内容を別のカメラに複製したい場合はまず通信モジュール１１１同士を通信ケーブルによって接続する。
【００２０】
本実施形態においては、このケーブルは１００ＢａｓｅＴになる。ユーザーは予め、ＩＰ通信に必要な設定項目であるＩＰアドレスとサブネットマスクを操作部１０４の操作部材を操作し表示装置１０５に表示される通信設定メニューの項目に沿って設定する。なお、本実施形態ではＩＰ通信によって通信することについて説明するが、ＦＴＰを使用して実現してもかまわない。その場合にはユーザーは表示装置１０５に表示されるＦＴＰに関する別の設定項目も設定しておく必要がある。
【００２１】
続いて、図８を用いてユーザ設定項目の複製の動作について説明する。なお、本実施形態において、ユーザ設定項目には、シャッタースピード、撮影モード、測光モード、ドライブモード（単写、連写、セルフタイマーなど）、ＩＳＯ値、補正値、ＩＳＯブラケット、ＡＥブラケット、ホワイトバランスブラケットなどがあり、またカメラ全体の設定としては現像するためのカラーマトリクス、現像パラメータ（トーンカーブ、シャープネス、コントラストなど）、撮影画像の確認、撮影画像の確認時間、ノイズ低減機能、マニュアルホワイトバランスのデータ、ハイライト警告表示、ＡＦフレームの表示、ヒストグラムの表示種類、オートパワーオフの時間、画像のバックアップ機能、縦横自動回転表示、液晶モニタの明るさ、言語、ビデオの出力方式や、レリーズ中のファインダー表示、ＩＳＯ感度拡張モード、ダイヤル機能の割り付け、設定値の段数切替え、表示パネルの表示内容切替え、ブラケット撮影での補正順序切替え、ＡＦフレームスーパーインポーズの設定、ミラーアップ撮影と通常撮影の切替え、スポット測光に関する設定、ストロボに関する設定、ホームポジションへ移動するための釦設定、新レンズに対する釦設定、ＡＩサーボでの被写体追従敏感度などの複数種類のカスタムファンクション機能や、カスタム機能の登録、撮影モードの限定、測光モードの限定、マニュアル露出時の測光モード、シャッター速度の上限と下限値、絞り数値の上限と下限値、撮影モードと測光モードの登録と切替、連続撮影時の繰り返しブラケッティング動作許可、ブラケッティング時の撮影枚数、プログラムシフト量の保持、レンズ駆動によるピント検出禁止、ＡＦ補助光・投光禁止、ピント固定、合焦後自動撮影、ＡＦフレーム自動選択を禁止、連続撮影速度、連続撮影時の撮影枚数、シャッター釦ＯＦＦでの静粛動作、各種タイマー保持時間の設定、バルブ中の表示パネル証明の継続、データクリアに関する設定、レリーズタイムラグの高速化、電子ダイヤルの設定方向の反転、サブ電子ダイヤルによる露出補正を禁止、サブ電子ダイヤルスイッチをメインダイヤルスイッチにも有効にする設定、オリジナル画像判定用データの負荷設定など複数種類のパーソナルファンクション機能等が含まれる。
【００２２】
図８は、本実施形態による、一体一接続での複製動作について説明するためのフローチャートである。
【００２３】
ユーザー設定項目の複製をする場合、ユーザーは操作部１０４の操作により送受信メニューを表示装置１０５に表示させる。送信元と送信先はＩＰアドレスを入力することで決定することができる（Ｓ１０１）。そして操作部１０５の操作によりユーザー設定項目の複製を開始する指示をするとデジタルスチルカメラ間でデータの複製が開始される（Ｓ１０２）。ユーザーの操作しているカメラがユーザー設定項目の設定データを複製する複製元だとすると、最初ＩＰ通信により複製先カメラの機種情報（属性情報）を取得する（Ｓ１０３）。なお、図７で示されるように、機種情報（属性情報）は、機種を種別する情報とこれから複製するユーザー設定項目の項目などから構成されている。
【００２４】
続いて、送信先カメラの機種情報（属性情報）により同機種の場合、図３に示されるように、複製元カメラはユーザー設定項目のデータをＩＰ通信で送信する（Ｓ１０５）。逆にもし、複製先のカメラが異機種の場合は、図４で示されるように、複製元カメラは、ユーザー設定項目のデータで共通部分のデータを複製先カメラに送信する（Ｓ１０６）。すべてのデータを送信完了し複製先カメラがデータを更新すると、複製元カメラは、更新完了の表示を表示装置１０５に表示する。操作の終了は複製終了後でもすべてのデータ送信終了後でもよい（Ｓ１０７）。
【００２５】
また、ユーザーは、ユーザー設定項目の一部を複製先カメラに複製したい場合、操作部１０４の操作により表示装置１０５にユーザー設定項目の複製データ項目のメニューより複製したいデータ項目を選択することで一部のデータを複製することが可能となる。デフォルトは全ユーザー設定項目となっている。
【００２６】
なお、ユーザーの設定しているカメラが複製先のカメラの場合、操作部１０４の操作によりユーザー設定項目の複製機能が実行された場合、複製先カメラは複製元カメラに対し、機種情報（属性情報）を取得するようにＩＰ通信で要求する。複製元カメラは前記要求を受信すると複製先カメラに対し機種情報（属性情報）を要求する。複製元カメラは機種情報（属性情報）を取得するとその後の動作は前記ユーザーが操作しているカメラが複製元カメラの場合と同様の手順で動作する。
【００２７】
一方、図５（ｂ）で示されるように、一対一の無線接続でユーザ設定項目を複製するもともできる。
【００２８】
例えば無線ＬＡＮのようなＩＥＥＥ８０２．１１ｂなどの通信規格を使用して、無線通信可能な通信モジュール１１１を通信機能として有するデジタルスチルカメラにおいて、ユーザーがあるカメラのユーザー設定項目のデータ内容を別のカメラへ複製したい場合、まず通信モジュール１１１同士を無線によって接続する。ユーザーは予め、ＩＰ通信に必要な設定項目であるＩＰアドレス、サブネットマスクなどについて操作部１０４の操作部材を操作し表示装置１０５に表示される設定メニューの項目に沿って設定する。
【００２９】
本実施形態ではＩＰ通信によって通信することについて説明するが、ＦＴＰを使用してもかまわない。その場合ユーザーは表示装置１０５に表示されるＦＴＰに関する別の項目も設定しておく必要がある。なお、無線を用いて一対一接続する場合は、チャネルの設定や暗号化の設定、接続方法などの設定もあるので無線に関わる設定項目は予めユーザーが設定しておく必要がある。
【００３０】
接続が確立すれば、後は有線接続の場合（図５（ａ））と同様に、図８のステップＳ１０１からＳ１０７の処理が実行されることになる。有線の場合と同様なのでこれらの処理についての説明は省略する。
【００３１】
なお、無線ＬＡＮの場合は電波状態などなんらかの通信環境の変化により通信ができなくなり、プロトコル的にタイムアウトが発生し、完全にユーザー設定項目のデータの複製ができない場合がある。その場合、失敗したことを複製元及び／又は複製先のカメラの表示装置１０５に表示するとともにリトライするか選択可能な表示がなされるようにしてもよい。ユーザーがリトライを選択すると内部的にデータの複製が再度実行される。また、リトライを実行しない場合、そのタイミングで複製先のＩＰアドレスの表示方法を変化させるようにしてもよい。
【００３２】
＜一対多接続での複製について＞
図６（ａ）は、一対多の有線接続で設定項目の複製を実行する場合を示している。例えばイーサーネット（登録商標）のような有線ケーブルを使用した通信の場合、デジタルスチルカメラと通信機器であるハブやルータを使用して、複数台のデジタルスチルカメラでネットワークを構築することが可能である。
【００３３】
ユーザーが操作しているカメラがデータの複製元カメラである場合、まず、複製元カメラは操作部１０４の操作により表示装置１０５に表示される送受信メニューにより、ネットワーク上のデジタルカメラのＩＰアドレスと機種種別情報を取得する。複製元（送信元）カメラはＩＰアドレス取得要求をネットワーク上のデジタルカメラにブロードキャストにより要求する（Ｓ２０１）。要求を受信したカメラはＩＰデータの送信元ＩＰアドレスに対して自身のＩＰアドレスと機種種別情報を送信する。
【００３４】
複製元カメラは、図７で示されるように、受信したＩＰアドレスと機種種別情報を元にカメラ内にネットワーク上に接続されているカメラのＩＰアドレスと機種種別情報を対応付けたの情報をリスト化する（Ｓ２０２）。複製元カメラはユーザー設定項目のデータを前記リストの内容に沿って送信する。リストの機種種別情報で同機種の場合は全項目を、異機種の場合は共通項目のデータのみを送信する。
【００３５】
ネットワーク上のデジタルカメラの何台かのカメラに対してデータの複製を行いたい場合、ユーザーは操作部１０５の操作により表示装置１０５に表示される送受信メニューにより、ネットワーク上のデジタルカメラのＩＰアドレスと機種種別情報を取得し、リスト作成後そのリストの情報からメニューにＩＰアドレスを表示する。表示方法はすべてのアドレスを表示しても、個数を限定しスクロールさせながら表示してもよい。ユーザーは表示されているＩＰアドレスから複製するカメラを選択することができる（Ｓ２０３）。複製先カメラを選択後、複製を実行すると前記作成されたリストの機種種別情報を基に同機種、異機種を判別しながらデータを送信する（Ｓ２０４）。送信が成功すると（Ｓ２０５）、複製元カメラは、送信が完了した相手先ごとに送信したアドレス表示を変える（Ｓ２０６）。送信が失敗すれば（Ｓ２０５）、複製元カメラはリトライ選択表示がＯＮとなっているか否かを判断し（Ｓ２０９）、ＯＮとなっていればリトライするかしないかのメッセージを表示部に表示し、ユーザにどちらかを選択させるようにする（Ｓ２１０）。ユーザがリトライを選択すれば再度データ送信処理に移行し、内部的にデータの複製を実行する（Ｓ２０４）。リトライ選択表示がＯＮで無い場合（Ｓ２０９）、又はユーザがリトライを選択しなかった場合（Ｓ２１０）は、処理はＳ２０６に移行する。リトライを実行しない場合、複製元カメラは、そのタイミングで複製先のＩＰアドレスの表示をユーザが複製失敗を判別できるようなものに変化させる。このように、結果に応じて自動的にＩＰアドレスの表示を変化させることでユーザは複製失敗の結果を認識することができる。
【００３６】
送信結果によってアドレス表示を変える場合（Ｓ２０６）、複製元カメラは、続いて別のカメラにデータを複製するか否かを判断する（Ｓ２０７）。複製する場合は、送信元カメラは送信先のアドレスを指定し（Ｓ２０３）、複製しない場合には、処理は終了する（Ｓ２０８）。
【００３７】
図６（ｂ）は、一対多の無線接続で設定項目の複製を実行する場合を示している。無線ＬＡＮ通信の場合アクセスポイントを使用して（アドフォックモードだけで構築してもかまわない）、複数台のデジタルスチルカメラで通信する環境を構築することが可能である。ユーザーが操作しているカメラがデータの複製元カメラである場合、操作部１０４の操作により表示装置１０５に表示される送受信メニューによりまず、ネットワーク上のデジタルカメラのＩＰアドレスと機種種別情報を取得する。
【００３８】
設定項目の複製動作については図９で示される動作に従って行われるので、説明は省略する。ただし、無線ＬＡＮの場合、電波状態などの通信環境の変化により一時的に通信ができなくなると、プロトコル的にタイムアウトが発生し、完全にユーザー設定項目のデータの複製ができない場合がある。その場合、図９で示されたように、失敗したことを表示装置１０５に表示するとともにリトライするかユーザーに判断できるように選択可能なメッセージを表示する（Ｓ２１０）ようにしているので、ユーザは複製失敗にも即座に対応することができる。無線通信の場合には特に有効となる機能である。
【００３９】
＜実施形態のまとめ及び効果＞
以上まとめると、本実施形態におけるデジタルスチルカメラでは、操作部を操作して、ユーザー設定項目を任意もしくは全てデジタルカメラ本体に設定が可能であり、そのユーザー設定項目はデジタルスチル内部の不揮発性メモリに保存されている。そして、このユーザー設定データの設定項目を同機種または異機種間で上記ユーザー設定項目を複製する。
【００４０】
また、デジタルカメラ同士を直接または間接的に有線で接続することが可能で、お互いに通信機能を有し、お互いにユーザーが設定できる設定項目を送受信でき、受信した内容を受信側デジタルカメラに反映するようにしている。
【００４１】
さらに、デジタルカメラ同士を直接または間接的に無線で接続することが可能で、お互いに通信機能を有し、お互いにユーザーが設定できる設定項目を送受信でき、受信した内容を受信側デジタルカメラに反映するようにしている。
【００４２】
複数台のデジタルスチルカメラをバス接続またはスター型接続などで通信可能なネットワークトポロジーをデジタルスチルカメラと線路機器だけで構成でき、送信先デジタルカメラのあて先を１つまたは複数設定可能であり、一回に複数のデジタルスチルカメラにユーザーが設定可能な設定項目を共通コピー可能となっている。
【００４３】
さらに、受信側デジタルスチルカメラでから送信先デジタルスチルカメラのアドレスを設定することが可能で、前記アドレスのデジタルスチルカメラからの設定項目のデータ送信要求が出せ、その要求を受信すると送信元デジタルスチルカメラはユーザーが設定可能な設定項目を要求してきたデジタルスチルカメラに送信し、受信したデジタルスチルカメラはその内容を自身の設定項目として反映できる。
【００４４】
異機種間のでは予めデータを送信する前に異機種接続されていることを確認する機能を有し、異機種に対してはユーザーが設定可能な共通部分のデータのみを送信または受信するようになっている。
【００４５】
このような本実施形態によれば、デジタルスチルカメラの機能を実現するためのユーザー設定項目を有線あるいは無線通信接続することで同機種または異機種のデジタルスチルカメラ同士で送受信可能であり、設定項目のデータの複製と複製操作が容易に可能となる。
【００４６】
また、複製元と複製先の関係は一対一でも一対多でも良いので一度に複数台の前記設定項目のデータを複製したカメラを作る事ができる。さらに一対多の中に異機種のデジタルスチルカメラが存在していたとしても機種情報（属性情報）により共通部分のユーザー設定項目のデータを送信することで共通部分のデータの複製が可能になる。
【００４７】
そして、ユーザーが設定可能な全ての項目をパーソナルコンピュータやリムーバブル可能な記録媒体を必要としない。また、複製元データと複製先データのデジタルスチルカメラの関係は一対一でも一対多でもよい。さらに複製操作は複製先カメラでも複製元カメラでも一箇所での操作で複製作業が可能である。また、リムーバブル可能な記録媒体を介在させないので、複製するためのユーザーが設定可能な全ての項目を保存したファイルが入っている記録媒体をカメラ操作で初期化した際、誤って消してしまう心配をも無い。
＜その他の実施形態＞
本発明では、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００４８】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれている。
【００４９】
さらに、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００５０】
また、上記実施の形態の機能を実現するソフトウェアのプログラムコードがネットワークを介して配信されることにより、システム又は装置のハードディスクやメモリ等の記憶手段又はＣＤ−ＲＷ、ＣＤ−Ｒ等の記憶媒体に格納され、そのシステム又は装置のコンピュータ（又はＣＰＵやＭＰＵ）が当該記憶手段や当該記憶媒体に格納されたプログラムコードを読み出して実行することによっても、達成されることは云うまでもない。
【図面の簡単な説明】
【００５１】
【図１】本発明による画像処理装置としてのデジタルカメラの概略ブロック図である。
【図２】ユーザー設定項目構成を示す図である。
【図３】同機種間でのユーザー設定項目の複製の概念を示す図である。
【図４】異機種間でのユーザー設定項目の複製の概念を示す図である。
【図５】無線、有線通信を使用した一対一接続の概念を示す図である。
【図６】無線、有線通信を使用した複数接続の概念を示す図である。
【図７】ネットワークに接続されているカメラ情報リストの情報例を示す図である。
【図８】一対一接続での複製元カメラでの動作を説明するためのフローチャートである。
【図９】複数接続での複製元カメラでの動作を説明するためのフローチャートである。
【図１】
0004646713.tif 000002
【図２】
0004646713.tif 000003
【図３】
0004646713.tif 000004
【図４】
0004646713.tif 000005
【図５】
0004646713.tif 000006
【図６】
0004646713.tif 000007
【図７】
0004646713.tif 000008
【図８】
0004646713.tif 000009
【図９】
0004646713.tif 000010